(57)【要約】      （修正有）【課題】複数の操作ボタンを有する操作装置の位置に応じて動作モードが設定される容認する。【解決手段】操作装置２０は、複数の操作ボタンを具備する。操作装置２０は操作面が背面方向を向く位置と、側面方向を向く位置との間で移動可能である。制御装置は、モードダイヤル２２で撮影モードが選択されている場合で、操作装置２０の操作面が背面方向を向いているときにはマニュアル撮影モードを設定し、操作装置２０の操作面が側面方向を向いているときにはオート撮影モードを設定する。【選択図】図２
2008205524.tif 000002
【特許請求の範囲】
【請求項１】
撮像部と、
前記撮像部により撮影された画像を記録再生する記録再生装置と、
前記撮像部により撮影された画像及び前記記録再生装置からの画像を表示でき、表示面の方向を変更できる表示部と、
撮影モード及び編集／再生モードで使用され、操作面を背面方向に向けた背面位置と、前記操作面を側面方向に向けた側面位置との間で移動できる操作装置と、
前記撮影モードと前記編集／再生モードとを切り替えるモード切替えスイッチと、
前記操作装置の位置と前記モード切替えスイッチで選択されるモードに応じて、前記操作装置の持つ操作ボタン類の機能を変更する制御装置
とを具備することを特徴とする撮像装置。
【請求項２】
前記制御装置は、前記モード切替えスイッチで前記撮影モードが選択される状態で、前記操作装置の位置に応じてオート撮影モードとマニュアル撮影モードを切り替えることを特徴とする請求項１に記載の撮像装置。
【請求項３】
撮像部と、
前記撮像部により撮影された画像を記録再生する記録再生装置と、
前記撮像部により撮影された画像及び前記記録再生装置からの画像を表示でき、表示面の方向を変更できる表示部と、
撮影モード及び編集／再生モードで使用され、操作面を背面方向に向けた背面位置と、前記操作面を側面方向に向けた側面位置と、前記操作面を内側に向けた非操作位置との間で移動できる操作装置と、
前記表示部の位置及び前記操作装置の位置に応じて、動作モードを設定し、前記操作装置の持つ操作ボタン類の機能を変更する制御装置
とを具備することを特徴とする撮像装置。
【請求項４】
前記動作モードは、オート撮影モード、マニュアル撮影モード、編集/再生モード及び電源オフの何れかであることを特徴とする請求項３に記載の撮像装置。
【請求項５】
前記操作装置は前記表示部をロックするロック機構を有することを特徴とする請求項３又は４に記載の撮像装置。
【発明の詳細な説明】
【技術分野】
【０００１】
本発明は、撮像部と、撮影した画像を表示する表示部と、撮影または編集／再生動作を行うための操作部を持つ撮像装置に関する。
【背景技術】
【０００２】
従来のカメラ一体型ＶＴＲには、筐体から出し入れ可能な回動部材にカメラのマニュアル操作のための操作部を装備した構成が知られている（特許文献１参照）。この構成では、回動部材が筐体内に収容された状態ではオート撮影モードとし、回動部材が筐体外に取り出された状態ではマニュアル撮影モード状態にする。
【０００３】
また、動作モードの切り替えに応じて、操作キーの機能が変わるものがある（特許文献２参照）。
【特許文献１】特開平０７−０６７００６号公報
【特許文献２】特開平１１−１７７８６５号公報
【発明の開示】
【発明が解決しようとする課題】
【０００４】
しかし、特許文献１に記載の構成では、操作時に操作部が本体から突出する。突出部は引っかかりやすく、破損する恐れがある。近年、動画の記録媒体として、記録可能光ディスク、ＨＤＤ、及び半導体メモリが注目を浴びている。これらの記録媒体の使用によって、簡易な動画編集作業をビデオカメラで行うことも可能になる。
【０００５】
今後のビデオカメラには撮影時と再生時の操作性だけでなく、編集時の操作性も考慮する必要がある。しかし、機能が増えることにより、操作部の構成が複雑になるのでは、コストが増大する。また、設置スペースの関係で専用の操作部を設けるのも難しい。
【０００６】
そこで、本発明は、上記の問題点に鑑み、操作性の高い撮像装置を提示することを目的とする。
【課題を解決するための手段】
【０００７】
上記の目的を達成するために、本発明に係る撮像装置は、撮像部と、前記撮像部により撮影された画像を記録再生する記録再生装置と、前記撮像部により撮影された画像及び前記記録再生装置からの画像を表示でき、表示面の方向を変更できる表示部と、撮影モード及び編集／再生モードで使用され、操作面を背面方向に向けた背面位置と、前記操作面を側面方向に向けた側面位置との間で移動できる操作装置と、前記撮影モードと前記編集／再生モードとを切り替えるモード切替えスイッチと、前記操作装置の位置と前記モード切替えスイッチで選択されるモードに応じて、前記操作装置の持つ操作ボタン類の機能を変更する制御装置とを具備することを特徴とする。
【０００８】
好ましくは、前記制御装置は、前記モード切替えスイッチで前記撮影モードが選択される状態で、前記操作装置の位置に応じてオート撮影モードとマニュアル撮影モードを切り替えることを特徴とする。
【０００９】
本発明に係る撮像装置は、撮像部と、前記撮像部により撮影された画像を記録再生する記録再生装置と、前記撮像部により撮影された画像及び前記記録再生装置からの画像を表示でき、表示面の方向を変更できる表示部と、撮影モード及び編集／再生モードで使用され、操作面を背面方向に向けた背面位置と、前記操作面を側面方向に向けた側面位置と、前記操作面を内側に向けた非操作位置との間で移動できる操作装置と、前記表示部の位置及び前記操作装置の位置に応じて、動作モードを設定し、前記操作装置の持つ操作ボタン類の機能を変更する制御装置とを具備することを特徴とする。
【００１０】
好ましくは、前記動作モードは、オート撮影モード、マニュアル撮影モード、編集/再生モード及び電源オフの何れかであることを特徴とする。
【００１１】
好ましくは、前記操作装置は前記表示部をロックするロック機構を有することを特徴とする。
【発明の効果】
【００１２】
本発明によれば、操作装置が本体背面と本体側面のどちらの面でも操作面を見ながら操作することが可能である。したがって、撮影操作、再生操作だけでなく、比較的複雑な操作が必要な編集操作も行うことが可能になる。
【００１３】
また、操作装置と表示部の位置によって機能が切り替わることによって、直感的にどの操作が可能かがわかりやすい。
【００１４】
また、同一の操作装置をすべてのモードで共用するので、操作のための部品点数を削減できる。
【発明を実施するための最良の形態】
【００１５】
以下、図面を参照して、本発明の実施例を詳細に説明する。
【実施例１】
【００１６】
図１乃至図５を参照して、本発明の一実施例である撮像装置の構成を説明する。図１は、本実施例の概略構成ブロック図を示す。図１で、実線は画像データの流れを示し、破線はイネーブル信号等の制御信号を示す。図２乃至図４は本実施例の外観図斜視図を示す。図５は、本実施例の操作装置周辺の内部構造図である。撮像装置１０は、いわゆるカメラ一体型の動画記録再生装置であり、撮影モードと編集／再生モードを具備する。撮影モードでは、被写体の構図をファインダ上で確認でき、ユーザの記録開始の指示により録画が開始され、ユーザの記録停止の指示で録画が停止される。編集／再生モードでは、録画された画像が、編集されて再記録され、又は、単に再生される。
【００１７】
カメラユニット１２は、光学レンズ、ＣＣＤ撮像素子及びＡ／Ｄ変換器等を具備し、被写体からの光学像を結像し、光学像に対応する画像データをＥＶＦ１４及び記録再生装置１５に出力する。カメラユニット１２は特許請求の範囲の撮像部に相当する。撮影モードでは、カメラユニット１２からの画像データがＥＶＦ１４の画面上に表示される。ユーザは、ＥＶＦ１４に表示される画像で、被写体の構図を確認できる。
【００１８】
記録再生装置１５は、撮影モード中の制御装置３２からの録画の指示に従い、カメラユニット１２からの映像データを記録媒体（不図示）に記録する。記録再生装置１５はまた、編集／再生モードで、制御装置３２からの編集操作の指示に従い記録済みの画像を編集して再記録し、制御装置３２からの再生指示に従い、記録済みの画像を再生する。なお、記録再生装置１５は、ＭＰＥＧ２、ＭＰＥＧ４等の圧縮／伸張装置を具備してもよい。
【００１９】
液晶表示パネル（ＬＣＤ）１６は、記録再生装置１５からの画像データを画像として表示する。回転ヒンジ１８は、撮像装置１０の筐体に対して回動自在にＬＣＤ１６を支持する。ＬＣＤ１６は、特許請求の範囲の表示部に相当する。
【００２０】
操作装置２０は、筐体の背面と側面との間の角部に回転軸２０ｅ（図５）を中心に、操作面が背面を向いた背面位置と、側面に向いた側面位置との間で回転可能な、鉛直方向に細長い四角柱状をしている。操作装置２０の一面には、十字キー２０ａ、プッシュボタン２０ｂ、スライドスイッチ２０ｃ及びメニューボタン２０ｄ等が配置される。ユーザは、これのボタン又はキー２０ａ〜２０ｄを使って、上下左右の選択、各種決定、スライド切替え及びメニュー画面の表示等を制御装置３２に指示できる。
【００２１】
操作装置２０が側面位置の場合、図５（ａ）に示すように、操作装置２０の突起２０ｆが側面検知センサ３０ａを押す。操作装置２０が背面位置の場合、図６に示すように、操作装置２０の突起２０ｆが背面検知センサ３０ｂを押す。制御装置３２が、側面検知センサ３０ａ及び背面検知センサ３０ｂの出力により、操作装置２０が背面位置か側面位置かを検知できる。突起２０ｆは、操作装置２０の鉛直方向の下端部又は上端部に設けられている。
【００２２】
モードダイヤル２２は、撮像モードと編集／再生モードのいずれかを選択できる。勿論、その他の動作モードも選択可能であるが、本実施例の特徴的な動作とは無関係であるので、説明を省略する。
【００２３】
制御装置３２は、各種プログラムを格納するＲＯＭ、及び、データを一時記憶するＲＡＭ等を具備し、撮像装置１０の各部を制御する。
【００２４】
本実施例の基本的な動作を説明する。本実施例は、モードダイヤル２２を操作することにより、撮影モード、編集／再生モードを選択可能である。
【００２５】
撮影モードでは、しばしば、図３に示すように、ＬＣＤ１６を筐体から開いて背面向きにし、撮像装置１０を右手で持った状態になる。この持ち方では、操作装置２０を操作には、右手と左手のどちらも利用可能であるが、操作装置２０の操作面が背面方向の方が、各キーを視認しやすく、操作もしやすい。しかし、撮影中に撮影パラメータ、例えば、ズーム、フォーカス又は絞りなどを操作しないオート撮影の場合には、操作装置２０は、却って見えにくい方がよい。即ち、オート撮影の場合、操作装置２０の操作面は側面方向に向いているのが好ましい。そこで、本実施例では、制御装置３２は、撮影モードで操作装置２０が背面方向を向いているときには、撮像装置１０をマニュアル撮影モードにし、撮影モードで操作装置２０が側面方向を向いている場合には、オート撮影モードにする。
【００２６】
他方、編集／再生モードでは、図４に示すように、ＬＣＤ１６を筐体の側面に密接させて側面方向に向け、撮像装置１０を両手で持ちながら使用することが多い。この状態では、操作装置２０の操作面が側面方向にあると、操作しやすい。
【００２７】
以上の考慮の下で、制御装置３２は、ＬＣＤ１６の位置、動作モード及び操作装置２０の位置の組み合わせに応じて、操作装置２０のキー又はボタン２０ａ〜２０ｄに以下のような機能を割り当てる。
【００２８】
オート撮影モードでは、十字キー２０ａはズーム倍率の変更に使用される。例えば、十字キー２０ａの上方を押すことにより、ズームの倍率がアップし、十字キー２０ａの下方を押すことにより、ズームの倍率がダウンする。プッシュボタン２０ｂは、レリーズスイッチと動画像撮影のスイッチになる。スライドスイッチ２０ｃは、通常の撮影とパノラマ撮影等に切り替えに使用される。
【００２９】
マニュアル撮影モード時では、十字キー２０ａは、メニュー画面上の選択、ＡＦ（オートフォーカス）又はＡＷＢ（オートホワイトバランス）の選択、露出やデータサイズ等の値の調整（Ｘ又はＹ方向の動き）等を指示するのに使用される。なお、十字キー２０ａはトラックポインタであってもよい。プッシュボタン２０ｂは、選択の決定と取り消し等に使用される。スライドスイッチ２０ｃは、記録メディアの選択に使用される。
【００３０】
編集／再生モード時では、十字キー２０ａは、メニュー画面上の選択、静止画像又は動画の選択、画像内の範囲の選択、切り出した動画像の時間軸方向の移動、及び、レベル補正又はコントラスト等の値の調整（Ｘ又はＹ方向の動き）等に使用される。画像内の範囲の選択は、再生時は拡大したい範囲の選択であり、編集時は、画像処理を行いたい範囲や切り出したい範囲等の選択である。プッシュボタン２０ｂは、編集の開始と終了、選択の決定と取り消し等に使用される。スライドスイッチ２０ｃは、記録メディアの選択に使用される。
【００３１】
このように、操作装置２０の操作面が側面方向に向いている場合と、操作装置２０の操作面が背面方向に向いている場合とで、キー操作又はキー構成を異ならせることで、少ないボタン配置でも各種様々な操作を行うことができる。
【００３２】
図７を参照して、モード移行の動作を説明する。図７は、本発明の実施例１でのモード移行動作を示すフローチャートである。
【００３３】
図７において、処理が開始すると（Ｓ１１）、制御装置３２は、モードダイヤル２２が撮影モードに選択されているか否かを判別する（Ｓ１２）。撮影モードでない場合（Ｓ１２）、編集／再生モードであると判断し、編集／再生モードを実行する（Ｓ１６）。
【００３４】
撮影モードの場合（Ｓ１２）、突起２０ｆにより背面検知センサ３０ｂがオンになっているか否かを判別する（Ｓ１３）。背面検知センサ３０ｂがオンでない場合（Ｓ１３）、図５（ａ）に示すように、操作装置２０の操作面が撮像装置１０の側面方向に向いていると判断され、オート撮影モードが設定される（Ｓ１４）。背面検知センサ３０ｂがオンである場合（Ｓ１３）、図６に示すように、操作装置２０の操作面が撮像装置１０の背面方向に向いていると判断され、マニュアル撮影モードが実行される（Ｓ１５）。
【００３５】
このように、本実施例では、操作装置２０の操作面の向いている方向で撮影モードでのオート撮影とマニュアル撮影を切り換えるので、オート撮影又はマニュアル撮影を指示する専用の操作キーを省略でき、撮像装置１０の小型化と軽量化を図ることができる。
【実施例２】
【００３６】
図８乃至図１７を参照して、本発明の実施例２である撮像装置の構成を説明する。図８は、実施例２である撮像装置２１０の概略構成ブロック図を示す。図９乃至図１２は、撮像装置２１０の外観図を示す。実施例１と同一の構成要素には同一符号を付しており、説明は省略する。
【００３７】
本実施例では、操作装置２０に対応する操作装置２２０の位置、及び、ＬＣＤ１６に対応するＬＣＤ２１６の位置に応じて、編集／再生モード、マニュアル撮影モード、オート撮影モード及び電源オフが設定されるようにした。
【００３８】
即ち、図９に示すように、ＬＣＤ２１６をその表示面を外側に向けて撮像装置２１０の筐体の背面に密着させた位置におき、且つ、操作装置２２０の操作面を側面方向としている位置は、編集／再生操作に向いている。撮像装置２１０を両手でグリップして操作するのに適しているからである。
【００３９】
図１０に示すように、ＬＣＤ２１６が収納部から取り出されている場合で、操作装置２２０の操作面が背面方向を向いているときには、ＬＣＤ２１６を見ながらでも、ファインダ１４を覗きながらでも、複雑な操作を行える。従って、この位置は、マニュアル撮影モードに適している。
【００４０】
図１１に示すように、ＬＣＤ２１６が収納部から取り出されている場合でも、操作装置２２０の操作面が側面方向に向いているときには、手持ち状態では操作装置２２０によるマニュアル操作を行いにくい。従って、オート撮影モードに適している。
【００４１】
図１２に示すように、ＬＣＤ２１６を撮像装置２１０に収納した状態であり、且つ、操作装置２２０の操作面を側面方向と背面方向の何れにも向けていないときには、直感的に何も操作が行えない電源オフであると理解される。操作装置２２０は非操作位置にある。
【００４２】
このような観点で、本実施例では、ＬＣＤ２１６及び操作装置２２０の位置に応じて、編集／再生モード、マニュアル撮影モード、オート撮影モード及び電源オフを以下のように設定する。図９に示すように、ＬＣＤ２１６が表示面を外側に向けてその収納部に収納され、且つ、操作装置２２０の操作面が側面方向を向いているとき、編集／再生モードを設定する。図１０に示すように、ＬＣＤ２１６が収納部から取り出され、操作装置２２０の操作面が撮像装置２１０の背面方向に向いているとき、マニュアル撮影モードを設定する。図１２に示すように、ＬＣＤ２１６がその表示面を内側にして収納部に収納され、操作装置２２０の操作面が側面方向と背面方向の何れにも向いていない場合、電源オフを設定する。
【００４３】
そして、編集／再生モード、マニュアル撮影モード及び電源オフの何れにも該当しない場合には、オート撮影モードを設定する。これにより、操作に不慣れな者でも、撮像装置２１０を右手でグリップして、ＬＣＤ２１６の表示面を見やすい位置に移動すれば、簡単にオート撮影モードで撮影が行える。
【００４４】
制御装置２３２は、このように設定される動作モードに応じて、実施例１の操作装置２０と同様に、操作装置２２０の持つ操作ボタン類の機能を変更する。
【００４５】
このようなモード設定と、モードダイヤル２２による設定のどちらを優先するかを、ユーザが選択できるようにしておくのが好ましい。
【００４６】
図９に示す編集／再生モードの状態で、振動などによりＬＣＤ２１６を収納部から外れると、即座にマニュアル撮影モードに切り替わってしまう。また、図１２に示す電源オフ状態でも、不用意にＬＣＤ２１６がその収納部から外れるのを防ぐ必要がある。これらの目的で、本実施例では、表示面を内向き又は外向きにしつつ収納部に収納されているＬＣＤ２１６をロックするロック機構を追加してある。
【００４７】
ＬＣＤ２１６のロック機構を説明する。図１３及び図１４はＬＣＤ２１６のロック機構の断面図であり、図１３は、ロック状態を示し、図１４はロックが外れた状態を示す。図１５及び図１６は、ＬＣＤ２１６と回転ヒンジ２１８の内部構造を示す。
【００４８】
ＬＣＤ２１６に対しバネ２１６ａ、ロックセンサ２１６ｂ及び突出ピン２１６ｃが追加されている。操作装置２２０の４つの角部には、突起２２２（図１３及び図１４）が追加されている。また、回転ヒンジ２１８に対するＬＣＤ２１６の表示面の方向を検出するために、ＬＣＤ２１６の内部にホール素子２１６ｄが追加され、回転ヒンジ２１８の内部にマグネット２１８ａが追加されている。
【００４９】
図１３及び図１４に示すように、バネ２１６ａは、一端がＬＣＤ２１６に固定され、他端が突出ピン２１６ｃに当接及び接続する。バネ２１６ａは、突出ピン２１６ｃを操作装置２２０の方向に付勢している。ロックセンサ２１６ｂは、突出ピン２１６ｃがＬＣＤ２１６に筐体内に収まっているか、ＬＣＤ２１６の筐体から突出しているかを検知する。ロックセンサ２１６ｂは、図１３の状態でオンになる。
【００５０】
図１３に示す状態では、突出ピン２１６ｃが操作装置２２０の４隅の突起２２２の間の凹んだ部分に入りこんでいるので、ユーザが操作装置２２０を意図的に回転しない限り、ＬＣＤ２１６が収納部から外れることは無い。換言すると、図１３に示す状態でユーザが操作装置２２０を反時計方向に回転すると、図１４に示すように、ＬＣＤ２１６のロックが解除され、ＬＣＤ２１６が収納部から外れる。
【００５１】
ホール素子２１６ｄは、ＬＣＤ２１６の内部に設けられ、マグネット２１８ａは回転ヒンジ２１８の内部に設けられている。ホール素子２１６ｄとマグネット２１８ａの相対的位置関係により、ＬＣＤ２１６がどの方向に向いているかを判断できる。図１５（ａ）は、ＬＣＤ２１６の表示面を背面方向に向けたときの、ホール素子２１６ｄとマグネット２１８ａとの位置関係を示し、図１５（ｂ）は外観斜視図を示す。また、図１６（ａ）は、ＬＣＤ２１６の表示面を正面方向に向けたときの、ホール素子２１６ｄとマグネット２１８ａとの位置関係を示し、図１６（ｂ）は外観斜視図を示す。本実施例では、図１６（ａ）に示す位置関係のとき、ホール素子２１６ｄの出力がオンになる。
【００５２】
図１７は、本実施例２におけるモード移行の動作フローチャートである。処理が開始すると（Ｓ２１１）、制御装置２３２は、背面検知センサ３０ｂがオンか否かを判別する（Ｓ２１２）。背面検知センサ３０ｂがオンであると（Ｓ２１２）、操作装置２２０の操作面が背面方向に向いていることになり、マニュアル撮影モードが設定される（Ｓ２１３）。
【００５３】
背面検知センサ３０ｂがオンでない場合（Ｓ２１２）、ロックセンサ２１６ｂがオンであるか否かを判別する（Ｓ２１４）。ロックセンサ２１６ｂがオンである場合（Ｓ２１４）、ＬＣＤ２１６が表示面を外側向き又は内側向きで撮像装置２１０の収納部に密着して収納されていることになり、ホール素子２１６ｄの出力によりＬＣＤ２１６の表示面の方向を調べる（Ｓ２１６）。ロックセンサ２１６ｂがオンでない場合（Ｓ２１４）、ＬＣＤ２１６は収納部から外れていると判断され、オート撮影モードが設定される（Ｓ２１５）。
【００５４】
ホール素子２１６ｄがオンであると（Ｓ２１６）、ＬＣＤ２１６は、その表示面が外側に向いて撮像装置２１０の収納部に収納されていることになる。この状態で、側面検知センサ３０ａがオンの場合（Ｓ２１７）、ＬＣＤ２１６及び操作装置２２０が図９に示す位置にあることになり、編集／再生モードが設定される（Ｓ２１９）。側面検知センサ３０ａがオンでない場合（Ｓ２１７）、オート撮影モードが設定される（Ｓ２１５）。
【００５５】
ホール素子２１６ｄがオンでない場合（Ｓ２１６）、ＬＣＤ２１６は、その表示面が内側に向いて撮像装置２１０の収納部に収納されていることになる。この状態で、側面検知センサ３０ａがオンでない場合（Ｓ２１８）、操作装置２２０は非操作位置にある。即ち、ＬＣＤ２１６及び操作装置２２０は、図１２に示す位置にあることになる。このとき、電源オフが設定される（Ｓ２２０）。側面検知センサ３０ａがオンである場合（Ｓ２１８）、操作装置２２０の操作面が撮像装置２１０の側面方向を向いており、オート撮影モードが設定される（Ｓ２１５）。
【００５６】
このように、本実施例では、オート撮影モード、マニュアル撮影モード、編集／再生モード及び電源オフが、操作装置２２０及びＬＣＤ２１６の位置によって自動的に切り替わるので、どの動作モードになっているかを直感的に認識しやすい。
【００５７】
また、複雑な動作が必要な際にでも、使用者が視認でき、操作しやすい方向に操作装置２２０の操作面を移動できることに加え、すべてのモードでの操作を共通の操作装置２２０で行えるので、撮像装置２１０の小型化と軽量化を図ることができる。
【００５８】
操作装置２２０を回動しても、操作装置２２０が撮像装置２１０から突出することがなく回動可能な構成となっているので、破損しにくい。これによって、使用者がストレスを感じることなく、操作することができる。
【００５９】
また、すべての動作モードで共通の操作部を使用できるため、機能が複雑でも装置構成が複雑になることなく、部品点数が削減でき、コストダウンできる。
【図面の簡単な説明】
【００６０】
【図１】本発明の実施例１である撮像装置の概略構成ブロック図である。
【図２】実施例１の外観図である。
【図３】実施例２の撮像装置を右手でグリップして操作する様子を示す斜視図である。
【図４】実施例２の撮像装置を両手でグリップして操作する様子の斜視図である。
【図５】操作装置の操作面が側面方向を向いているときの外観図（ａ）と断面図（ｂ）である。
【図６】操作装置の操作面が背面方向を向いているときの外観図（ａ）と断面図（ｂ）である。
【図７】実施例１のモード移行動作を示すフローチャートである。
【図８】本発明の実施例２である撮像装置の概略構成ブロック図である。
【図９】編集／再生モードでのＬＣＤ２１６及び操作装置２２０の位置を示す外観図である。
【図１０】マニュアル撮影モードでのＬＣＤ２１６及び操作装置２２０の位置を示す外観図である。
【図１１】オート撮影モードでのＬＣＤ２１６及び操作装置２２０の位置を示す外観図である。
【図１２】電源オフの時のＬＣＤ２１６及び操作装置２２０の位置を示す外観図である。
【図１３】ＬＣＤ２１６をロックしている状態のロック機構の構成を示す図である。
【図１４】ＬＣＤ２１６がロック状態から外れた状態でのロック機構の構成を示す図である。
【図１５】ＬＣＤ２１６の表示面が背面方向に向いているときのマグネット２１８ａとホール素子２１６ｄの位置関係を説明する図である。
【図１６】ＬＣＤ２１６の表示面が正面方向に向いているときのマグネット２１８ａとホール素子２１６ｄの位置関係を説明する図である。
【図１７】実施例２でのモード移行動作を示すフローチャートである。
【符号の説明】
【００６１】
１０，２１０  撮像装置
１２  カメラユニット
１４  ファインダ
１５  記録再生装置
１６，２１６  ＬＣＤ
１８，２１８  回転ヒンジ
２０，２２０  操作装置
２０ａ  十字キー
２０ｂ  プッシュボタン
２０ｃ  ズーム切替えスイッチ
２０ｄ  動画像撮影スイッチ
２０ｅ  回転軸
２０ｆ  突起
２２  モードダイヤル
３０ａ  側面検知センサ
３０ｂ  背面検知センサ
３２，２３２  制御装置
２１６ａ  バネ
２１６ｂ  ロックセンサ
２１６ｃ  突出ピン
２１６ｄ  ホール素子
２１８ａ  マグネット
２２２  突起
【図１】
2008205524.tif 000003
【図２】
2008205524.tif 000004
【図３】
2008205524.tif 000005
【図４】
2008205524.tif 000006
【図５】
2008205524.tif 000007
【図６】
2008205524.tif 000008
【図７】
2008205524.tif 000009
【図８】
2008205524.tif 000010
【図９】
2008205524.tif 000011
【図１０】
2008205524.tif 000012
【図１１】
2008205524.tif 000013
【図１２】
2008205524.tif 000014
【図１３】
2008205524.tif 000015
【図１４】
2008205524.tif 000016
【図１５】
2008205524.tif 000017
【図１６】
2008205524.tif 000018
【図１７】
2008205524.tif 000019